(57)【特許請求の範囲】
【請求項１】
時間次元の薬剤購入時間と、前記時間次元以外の少なくとも二つの次元の診察情報と、異なる次元の診察情報の間の相互関連性とを含み、次元毎に少なくとも二つの診察情報が含まれる処理待ちデータを取得すること、
プリセット円心点とプリセット半径値を取得して、前記プリセット円心点と前記プリセット半径値から一つの円を生成し、前記少なくとも二つの次元から第１次元を選び、前記円において前記第１次元の各診察情報に関するそれぞれ方向が異なる一半径を対応して形成し、各診察情報がそのうちの一つの半径方向に対応すること、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定すること、
前記異なる次元の診察情報の間の相互関連性によって、前記第１次元の診察情報に関連する時間次元の薬剤購入時間における、前記第１次元の診察情報に関連する第２次元の診察情報を取得すること、
前記対応位置で前記関連する時間次元の薬剤購入時間に対応するノードを生成して、タイムライン異常モニタリンググラフを生成すること、
予め決められた第２次元の診察情報とタグ情報との間の対応関係によって、前記関連する時間次元の薬剤購入時間の前記第１次元の診察情報に対応する半径上でのノードに対応するタグ情報を決定して、前記タグ情報を前記対応するノードに追加すること、
前記タグ情報は、異なる色によって表すこと、
前記第１次元は薬剤次元を含み、前記第２次元は使用者次元を含み、或いは、前記第１次元は使用者次元を含み、前記第２次元は薬剤次元を含むこと、
を含む、ことをコンピュータに実行させるデータ生成プログラム。
【請求項２】
前記診察情報が金額次元の薬剤購入金額を含み、
前記データ生成プログラムは、
前記異なる次元の診察情報の間の相互関連性によって、前記第１次元の診察情報に関連する時間次元の薬剤購入時間における、前記第１次元の診察情報に関連する金額次元の薬剤購入金額を取得すること、
前記薬剤購入金額によって前記関連する時間次元の薬剤購入時間の前記第１次元の診察情報に対応する半径上での対応ノードのサイズを調整すること、
を更に含むことを特徴とする、請求項１に記載のコンピュータに実行させるデータ生成プログラム。
【請求項３】
前記関連する時間次元の薬剤購入時間の、前記第１次元の診察情報に対応する半径上での対応位置を決定することは、
前記時間次元のうち、最も早い薬剤購入時間と最も遅い薬剤購入時間との時間総差分を計算すること、
前記関連する時間次元の薬剤購入時間と前記最も早い薬剤購入時間との第１時間副差分を計算する、又は前記最も遅い薬剤購入時間と前記関連する時間次元の薬剤購入時間との第２時間副差分を計算すること、
前記第１時間副差分と前記時間総差分との第１比率又は前記第２時間副差分と前記時間総差分との第２比率を計算して、前記プリセット半径値と前記第１比率又は前記第２比率に基づいて、前記第１次元の診察情報に対応する半径上で前記関連する時間次元の薬剤購入時間の対応位置を決定すること、
を含むことを特徴とする、請求項１に記載のコンピュータに実行させるデータ生成プログラム。
【請求項４】
前記円において前記第１次元の各診察情報に関してそれぞれ方向が異なる一半径を対応して形成することは、
前記第１次元の各診察情報が対応するプリセット類型を取得すること、
プリセット類型と半径角度幅との対応関係に基づいて、前記第１次元の各診察情報に対応する前記半径角度幅を取得すること、
前記円における前記取得した半径角度幅内には、前記半径角度幅に対応する前記第１次元の各診察情報に関してそれぞれ方向が異なる一半径を対応して形成すること、
を含むことを特徴とする、請求項１に記載のコンピュータに実行させるデータ生成プログラム。
【請求項５】
時間次元の薬剤購入時間と、前記時間次元以外の少なくとも二つの次元の診察情報と、異なる次元の診察情報の間の相互関連性とを含み、次元毎に少なくとも二つの診察情報が含まれる処理待ちデータを取得する取得モジュールと、
プリセット円心点とプリセット半径値を取得して、前記プリセット円心点と前記プリセット半径値から一つの円を生成し、前記少なくとも二つの次元から第１次元を選び、前記円において前記第１次元の各診察情報に関してそれぞれ方向が異なる一半径を対応して形成し、各診察情報がそのうちの一つの半径方向に対応する半径形成モジュールと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定する位置決定モジュールと、
前記取得モジュールは、前記異なる次元の診察情報の間の相互関連性によって、前記第１次元の診察情報に関連する時間次元の薬剤購入時間における、前記第１次元の診察情報に関連する第２次元の診察情報を取得することにも用いられること、
前記対応位置で前記関連する時間次元の薬剤購入時間に対応するノードを生成して、タイムライン異常モニタリンググラフを生成する生成モジュールと、
予め決められた第２次元の診察情報とタグ情報との間の対応関係によって、前記関連する時間次元の薬剤購入時間の前記第１次元の診察情報に対応する半径上でのノードに対応するタグ情報を決定して、前記タグ情報を前記対応するノードに追加するタグ追加モジュールを更に含むこと、
前記タグ情報は、異なる色によって表すこと、
前記第１次元は薬剤次元を含み、前記第２次元は使用者次元を含み、或いは、前記第１次元は使用者次元を含み、前記第２次元は薬剤次元を含むこと、
を特徴とする、データ生成装置。
【請求項６】
前記診察情報が金額次元の薬剤購入金額を含み、
当該装置は、
前記異なる次元の診察情報の間の相互関連性によって、前記第１次元の診察情報に関連する時間次元の薬剤購入時間における、前記第１次元の診察情報に関連する金額次元の薬剤購入金額を取得し、前記薬剤購入金額によって前記関連する時間次元の薬剤購入時間の前記第１次元の診察情報に対応する半径上での対応ノードのサイズを調整するサイズ調整モジュールを更に含むことを特徴とする、請求項５に記載の装置。
【請求項７】
前記位置決定モジュールは、
前記時間次元のうち、最も早い薬剤購入時間と最も遅い薬剤購入時間との時間総差分を計算すること、
前記関連する時間次元の薬剤購入時間と前記最も早い薬剤購入時間との第１時間副差分を計算し、又は前記最も遅い薬剤購入時間と前記関連する時間次元の薬剤購入時間との第２時間副差分を計算すること、
前記第１時間副差分と前記時間総差分との第１比率又は前記第２時間副差分と前記時間総差分との第２比率を計算して、前記プリセット半径値と前記第１比率又は前記第２比率に基づいて、前記第１次元の診察情報に対応する半径上で前記関連する時間次元の薬剤購入時間の対応位置を決定することにも用いられること、
を含むこと特徴とする、請求項５に記載の装置。
【請求項８】
前記半径形成モジュールは、
前記第１次元の各診察情報に対応するプリセット類型を取得して、プリセット類型と半径角度幅との対応関係に基づいて、前記第１次元の各診察情報に対応する前記半径角度幅を取得すること、
前記円における前記取得した半径角度幅内には、前記半径角度幅に対応する前記第１次元の各診察情報に関してそれぞれ方向が異なる一半径を対応して形成することにも用いられること、
を含むこと特徴とする、請求項５に記載の装置。
【請求項９】
命令が記憶されるメモリとプロセッサを備え、前記命令が前記プロセッサによって実行される際に、前記プロセッサに、
時間次元の薬剤購入時間と、前記時間次元以外の少なくとも二つの次元の診察情報と、異なる次元の診察情報の間の相互関連性とを含み、次元毎に少なくとも二つの診察情報が含まれる処理待ちデータを取得するステップと、
プリセット円心点とプリセット半径値を取得して、前記プリセット円心点と前記プリセット半径値から一つの円を生成し、前記少なくとも二つの次元から第１次元を選び、前記円において前記第１次元の各診察情報に関してそれぞれ方向が異なる一半径を対応して形成し、各診察情報がそのうちの一つの半径方向に対応するステップと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定するステップと、
前記取得するステップは、前記異なる次元の診察情報の間の相互関連性によって、前記第１次元の診察情報に関連する時間次元の薬剤購入時間における、前記第１次元の診察情報に関連する第２次元の診察情報を取得することも含み、
前記対応位置で前記関連する時間次元の薬剤購入時間に対応するノードを生成して、タイムライン異常モニタリンググラフを生成するステップと、
予め決められた第２次元の診察情報とタグ情報との間の対応関係によって、前記関連する時間次元の薬剤購入時間の前記第１次元の診察情報に対応する半径上でのノードに対応するタグ情報を決定して、前記タグ情報を前記対応するノードに追加するタグ追加ステップを更に含むこと、
前記タグ情報は、異なる色によって表すこと、
前記第１次元は薬剤次元を含み、前記第２次元は使用者次元を含み、或いは、前記第１次元は使用者次元を含み、前記第２次元は薬剤次元を含むこと、
を実行させることを特徴とする端末。
【請求項１０】
命令が記憶されるメモリとプロセッサを備え、前記命令が前記プロセッサによって実行される際に、前記プロセッサに、
時間次元の薬剤購入時間と、前記時間次元以外の少なくとも二つの次元の診察情報と、異なる次元の診察情報の間の相互関連性とを含み、次元毎に少なくとも二つの診察情報が含まれる処理待ちデータを取得するステップと、
プリセット円心点とプリセット半径値を取得して、前記プリセット円心点と前記プリセット半径値から一つの円を生成し、前記少なくとも二つの次元から第１次元を選び、前記円において前記第１次元の各診察情報に関してそれぞれ方向が異なる一半径を対応して形成し、各診察情報がそのうちの一つの半径方向に対応するステップと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定するステップと、
前記取得するステップは、前記異なる次元の診察情報の間の相互関連性によって、前記第１次元の診察情報に関連する時間次元の薬剤購入時間における、前記第１次元の診察情報に関連する第２次元の診察情報を取得することも含み、
前記対応位置で前記関連する時間次元の薬剤購入時間に対応するノードを生成して、タイムライン異常モニタリンググラフを生成するステップと、
予め決められた第２次元の診察情報とタグ情報との間の対応関係によって、前記関連する時間次元の薬剤購入時間の前記第１次元の診察情報に対応する半径上でのノードに対応するタグ情報を決定して、前記タグ情報を前記対応するノードに追加するタグ追加ステップを更に含むこと、
前記タグ情報は、異なる色によって表すこと、
前記第１次元は薬剤次元を含み、前記第２次元は使用者次元を含み、或いは、前記第１次元は使用者次元を含み、前記第２次元は薬剤次元を含むこと、
を実行させることを特徴とするサーバ。
【請求項１１】
コンピュータ実行可能な命令が記憶された１つ又は複数の読取可能な不揮発性記憶媒体であって、
前記コンピュータ実行可能な命令が１つ又は複数のプロセッサによって実行される際に、前記１つ又は複数のプロセッサに、
時間次元の薬剤購入時間と、前記時間次元以外の少なくとも二つの次元の診察情報と、異なる次元の診察情報の間の相互関連性とを含み、次元毎に少なくとも二つの診察情報が含まれる処理待ちデータを取得するステップと、
プリセット円心点とプリセット半径値を取得して、前記プリセット円心点と前記プリセット半径値から一つの円を生成し、前記少なくとも二つの次元から第１次元を選び、前記円において前記第１次元の各診察情報に関してそれぞれ方向が異なる一半径を対応して形成し、各診察情報がそのうちの一つの半径方向に対応するステップと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定するステップと、
前記取得するステップは、前記異なる次元の診察情報の間の相互関連性によって、前記第１次元の診察情報に関連する時間次元の薬剤購入時間における、前記第１次元の診察情報に関連する第２次元の診察情報を取得することも含み、
前記対応位置で前記関連する時間次元の薬剤購入時間に対応するノードを生成して、タイムライン異常モニタリンググラフを生成するステップと、
予め決められた第２次元の診察情報とタグ情報との間の対応関係によって、前記関連する時間次元の薬剤購入時間の前記第１次元の診察情報に対応する半径上でのノードに対応するタグ情報を決定して、前記タグ情報を前記対応するノードに追加するタグ追加ステップを更に含むこと、
前記タグ情報は、異なる色によって表すこと、
前記第１次元は薬剤次元を含み、前記第２次元は使用者次元を含み、或いは、前記第１次元は使用者次元を含み、前記第２次元は薬剤次元を含むこと、
を実行させる読取可能な不揮発性記憶媒体。
【発明の詳細な説明】
【技術分野】
【０００１】
本願は、２０１６年６月３０日に中国国家知識産権局へ提出された出願番号第２０１６１０５０５７２９３号、発明の名称「データ生成方法と装置」の中国特許出願に基づく優先権を主張し、当該出願に記載された全ての内容をここに援用するものである。
【０００２】
本発明はデータ処理技術分野に関し、特にデータ生成方法と装置、端末、サーバと記憶媒体に関する。
【背景技術】
【０００３】
社会保障体制の絶え間ない改善に伴い、診察を受ける際に患者が社会保障カードを使う場合、診察の過程で購入したある薬剤の薬代及び発生した費用を減免することができるようになった。それに伴い現在、社会保障カードの不正利用による利益の獲得等の様々な状況が次々と現れている。例えば、医師に比較的値段が高い薬を大量に処方させた後に、これらの薬を薬の売買人に転売することで利益を獲得する、又、例えば、費用の減免を得るために入院を強行する、などである。よって、関連する機構は、通常、社会保障カードを使う場合の診察情報を分析して、問題がないか疑わしい診察情報を得て、これらの問題がないか疑わしい診察情報をさらに調査することで、このような不正な金儲けを直ちに発見し、防止する。
【０００４】
データ量が大き過ぎる、又、人々が単なる数字又は文字に対してあまり関心を持たないので、従来の方法では、社会保障診察情報を基本的な図表類型によって表示し、例えば折れ線グラフで金額の動向を反映するなどしている。
【０００５】
ところが、このような従来の可視化図表は、同一の時間に一つの次元を表示することしかできないので、一部の肝心な暗黙の情報が当該図表で体現することができず、情報量が少ない。
【発明の概要】
【発明が解決しようとする課題】
【０００６】
本発明に開示された各実施形態によれば、データ生成方法と装置、端末、サーバと記憶媒体を提供することを目的とする。
【課題を解決するための手段】
【０００７】
時間次元の薬剤購入時間と、前記時間次元以外の少なくとも一つの次元の診察情報と、異なる次元の診察情報の間の相互関連性とを含み、次元毎に少なくとも一つの診察情報が含まれる処理待ちデータを取得すること、
プリセット円心点とプリセット半径値を取得して、前記円心点と半径値から一つの円を生成し、前記少なくとも一つの次元から第１次元を選び、前記円において前記第１次元の各診察情報に関するそれぞれ方向が異なる一半径を対応して形成し、各診察情報がそのうちの一つの半径方向に対応すること、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定すること、
前記対応位置で前記関連する時間次元の薬剤購入時間に対応するノードを生成して、タイムライン異常モニタリンググラフを生成すること、
を含む、データ生成方法。
【０００８】
時間次元の薬剤購入時間と、前記時間次元以外の少なくとも一つの次元の診察情報と、異なる次元の診察情報の間の相互関連性とを含み、次元毎に少なくとも一つの診察情報が含まれる処理待ちデータを取得する取得モジュールと、
プリセット円心点とプリセット半径値を取得して、前記円心点と半径値から一つの円を生成し、前記少なくとも一つの次元から第１次元を選び、前記円において前記第１次元の各診察情報に関してそれぞれ方向が異なる一半径を対応して形成し、各診察情報がそのうちの一つの半径方向に対応する半径形成モジュールと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定する位置決定モジュールと、
前記対応位置で前記関連する時間次元の薬剤購入時間に対応するノードを生成して、タイムライン異常モニタリンググラフを生成する生成モジュールと、
を含む、データ生成装置。
【０００９】
命令が記憶されるメモリとプロセッサを備え、前記命令が前記プロセッサによって実行される際に、前記プロセッサに、
時間次元の薬剤購入時間と、前記時間次元以外の少なくとも一つの次元の診察情報と、異なる次元の診察情報の間の相互関連性とを含み、次元毎に少なくとも一つの診察情報が含まれる処理待ちデータを取得するステップと、
プリセット円心点とプリセット半径値を取得して、前記円心点と半径値から一つの円を生成し、前記少なくとも一つの次元から第１次元を選び、前記円において前記第１次元の各診察情報に関してそれぞれ方向が異なる一半径を対応して形成し、各診察情報がそのうちの一つの半径方向に対応するステップと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定するステップと、
前記対応位置で前記関連する時間次元の薬剤購入時間に対応するノードを生成して、タイムライン異常モニタリンググラフを生成するステップと、
を実行させる端末。
【００１０】
命令が記憶されるメモリとプロセッサを備え、前記命令が前記プロセッサによって実行される際に、前記プロセッサに、
時間次元の薬剤購入時間と、前記時間次元以外の少なくとも一つの次元の診察情報と、異なる次元の診察情報の間の相互関連性とを含み、次元毎に少なくとも一つの診察情報が含まれる処理待ちデータを取得するステップと、
プリセット円心点とプリセット半径値を取得して、前記円心点と半径値から一つの円を生成し、前記少なくとも一つの次元から第１次元を選び、前記円において前記第１次元の各診察情報に関してそれぞれ方向が異なる一半径を対応して形成し、各診察情報がそのうちの一つの半径方向に対応するステップと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定するステップと、
前記対応位置で前記関連する時間次元の薬剤購入時間に対応するノードを生成して、タイムライン異常モニタリンググラフを生成するステップと、
を実行させるサーバ。
【００１１】
コンピュータ実行可能な命令が記憶された１つ又は複数の読取可能な不揮発性記憶媒体であって、
前記コンピュータ実行可能な命令が１つ又は複数のプロセッサによって実行される際に、前記１つ又は複数のプロセッサに、
時間次元の薬剤購入時間と、前記時間次元以外の少なくとも一つの次元の診察情報と、異なる次元の診察情報の間の相互関連性とを含み、次元毎に少なくとも一つの診察情報が含まれる処理待ちデータを取得するステップと、
プリセット円心点とプリセット半径値を取得して、前記円心点と半径値から一つの円を生成し、前記少なくとも一つの次元から第１次元を選び、前記円において前記第１次元の各診察情報に関してそれぞれ方向が異なる一半径を対応して形成し、各診察情報がそのうちの一つの半径方向に対応するステップと、
前記異なる次元の診察情報の間の相互関連性によって、前記第１次元の診察情報に関連する時間次元の薬剤購入時間を取得し、前記関連する時間次元の薬剤購入時間の前記第１次元の診察情報に対応する半径上での対応位置を決定するステップと、
前記対応位置で前記関連する時間次元の薬剤購入時間に対応するノードを生成して、タイムライン異常モニタリンググラフを生成するステップと、
を実行させる読取可能な不揮発性記憶媒体。
【００１２】
本発明の１つ又は複数の実施形態の詳細を、下記の図面及び記載において説明する。本発明の他の特徴、目的及び効果は、明細書、図面及び特許請求の範囲から明らかになる。
【００１３】
本発明の実施形態又は従来技術における技術的解決手段をより明確に説明するため、以下、実施形態又は従来技術に用いられる図面を簡単に紹介する。なお、下記図面が単に本発明のいくつかの実施形態を示しているに過ぎず、当業者が創造的な努力を払うことなく、下記図面に基づいて他の図面を得ることができることを理解されたい。
【図面の簡単な説明】
【００１４】
【図１】一実施形態におけるデータ生成方法のアプリケーションシナリオの図である。
【図２】一実施形態における端末のブロック図である。
【図３】一実施形態におけるサーバのブロック図である。
【図４】一実施形態におけるデータ生成方法のフローチャートである。
【図５】一実施形態におけるタイムライン異常モニタリンググラフの構成模式図である。
【図６】一実施形態におけるノードタグ情報追加方法のフローチャートである。
【図７】別の実施形態におけるタイムライン異常モニタリンググラフの構成模式図である。
【図８】一実施形態における対応位置決定方法のフローチャートである。
【図９】一実施形態におけるノード関連情報調査方法のフローチャートである。
【図１０】一実施形態におけるデータ生成装置のブロック図である。
【図１１】別の実施形態におけるデータ生成装置のブロック図である。
【図１２】他の別の実施形態におけるデータ生成装置のブロック図である。
【発明を実施するための形態】
【００１５】
本発明の目的、技術的解決手段及び効果をより明らかにするために、以下、図面及び実施形態を参照して、本発明を更に詳細に説明する。なお、以下に説明する具体的な実施形態は、本発明の例示にすぎず、本発明を限定するものではないと理解されたい。  
【００１６】
図１は一実施形態におけるデータ生成方法のアプリケーションシナリオの図である。図１に示すように、端末１１０はネットワークを介してサーバ１２０と通信する。
【００１７】
図１に示すアプリケーションシナリオの図において、端末１１０は、端末１１０に作用する処理待ちデータ取得命令に応じて、サーバ１２０から処理待ちデータを得る。処理待ちデータには、時間次元の薬剤購入時間、時間次元以外の少なくとも一つの次元の診察情報、及び異なる次元の診察情報の間の相互関連性が含まれ、次元毎に少なくとも一つの診察情報が含まれる。端末１１０は局地からプリセット円心点とプリセット半径値を取得して、円心点と半径値から一つの円を生成し、少なくとも一つの次元から第１次元を選び、当該円において、第１次元の各診察情報に関してそれぞれ方向が異なる一半径を対応して形成し、各診察情報はそのうちの一つの半径方向に対応している。更に、端末１１０は、異なる次元の診察情報の間の相互関連性によって、第１次元の診察情報に関連づけられる時間次元の薬剤購入時間を取得し、関連づけられた時間次元の薬剤購入時間の、第１次元の診察情報に対応する半径上での対応位置を決定して、該対応位置で関連づけられた時間次元の薬剤購入時間に対応するノードを生成して、タイムライン異常モニタリンググラフを生成する。更に、端末１１０は、生成したタイムライン異常モニタリンググラフを端末インタフェースに表示しても良い。
【００１８】
即ち、端末１１０はタイムライン異常モニタリンググラフ生成要求をサーバ１２０へ送信して、サーバ１２０は、当該要求に基づいてデータベースから対応の処理待ちデータを取得する。処理待ちデータには、時間次元の薬剤購入時間、時間次元以外の少なくとも一つの次元の診察情報、及び異なる次元の診察情報の間の相互関連性が含まれ、次元毎に少なくとも一つの診察情報が含まれる。サーバ１２０はプリセット円心点とプリセット半径値を取得して、円心点と半径値から一つの円を生成し、少なくとも一つの次元から第１次元を選び、当該円において、第１次元の各診察情報に関しては、それぞれ方向が異なる一半径を対応して形成して、各診察情報はそのうちの一つの半径方向に対応している。更に、サーバ１２０は、異なる次元の診察情報の間の相互関連性によって、第１次元の診察情報に関連づけられる時間次元の薬剤購入時間を取得して、関連づけられた時間次元の薬剤購入時間の、第１次元の診察情報に対応する半径上での対応位置を決定して、該対応位置で関連づけられた時間次元の薬剤購入時間に対応するノードを生成して、タイムライン異常モニタリンググラフを生成する。更に、サーバ１２０は、生成したタイムライン異常モニタリンググラフを端末１１０に送信して、端末１１０が当該タイムライン異常モニタリンググラフを端末インタフェースに表示するようにしても良い。
【００１９】
一実施形態においては、アプリケーションプログラムをインストール可能な端末を提供する。当該端末は、携帯電話、タブレットＰＣ、ノートパソコン、デスクトップパソコン等であってもよい。図２に示すように、当該端末は、システムバスを介して接続されたプロセッサ、内部記憶装置、不揮発性記憶媒体、ネットワークインタフェース、ディスプレイ画面及び入力装置を含む。そのうち、当該プロセッサは計算制御能力を与えて、端末全体の動作をサポートするためのものである。当該端末の不揮発性記憶媒体には、オペレーティングシステムとコンピュータ実行可能な命令が記憶されて、以下の各実施形態で提供されたデータ生成方法を実現するように、当該コンピュータ実行可能な命令をプロセッサによって実行させることができる。端末の内部記憶装置は、不揮発性記憶媒体に記憶されたオペレーティングシステムとコンピュータ実行可能な命令の動作環境を提供する。ネットワークインタフェースは、ネットワークに接続されて通信を行うためのものである。端末のディスプレイ画面は液晶ディスプレイ画面又は電子インク表示画面等であってもよい。本実施形態においては、ディスプレイ画面は端末の出力装置として、各種インタフェースを表示してもよい。例えば、タイムライン異常モニタリンググラフを出力して表示してもよい。入力装置は、ディスプレイ画面を被覆するタッチパネルであってもよいし、電子設備のハウジングに設けられたプッシュボタン、トラックボール又はタッチパッドでもよいし、外付けキーボード、タッチパッド又はマウス等でもよい。これらは使用者が各種制御命令を入力するのに用いられ、例えば使用者が処理待ちデータ取得命令を入力するのに用いられる。
【００２０】
当業者は、図２に示す構造が本発明に関する一部構造のブロック図であり、本出願案が応用される端末を限定することにはならないと理解されたい。具体的な端末が、図面に示す部品数より多い又は少ない部品を含む、或いは、いくつかの部品を組み合わせる、或いは、異なる部品配置を有することができる、と理解できる。
【００２１】
一実施形態においては、一種のサーバを提供する。図３に示すように、当該サーバは、システムバスを介して接続されたプロセッサ、不揮発性記憶媒体、内部記憶装置、及びネットワークインタフェースを含む。そのうち、当該プロセッサは計算制御能力を与えて、サーバ全体の動作をサポートするためのものである。当該サーバの不揮発性記憶媒体には、オペレーティングシステムと、データベースと、コンピュータ実行可能な命令とが記憶されて、データベースは、データ生成方法を実現する過程における関連データを記憶するためのものであり、例えばプリセット半径値を記憶してもよい。以下の各実施形態で提供したサーバに適用するデータ生成方法を実現するように、当該コンピュータ実行可能な命令をプロセッサによって実行することができる。サーバの内部記憶装置は、不揮発性記憶媒体に記憶されたオペレーティングシステムとコンピュータ実行可能な命令の動作環境を提供する。ネットワークインタフェースは、ネットワークに接続されて通信を行う。例えば、本実施形態において、サーバがネットワークインタフェースを介して生成したタイムライン異常モニタリンググラフを端末に発送する。サーバが独立のサーバ又は複数のサーバからなるサーバクラスタによって実現させることができる、と理解してもよい。
【００２２】
当業者は、図３に示す構造が本発明に関する一部構造のブロック図であり、本発明が応用されるサーバを限定することにはならないと理解されたい。具体的な端末が、図面に示す部品数より多い又は少ない部品を含む、或いは、いくつかの部品を組み合わせる、或いは、異なる部品配置を有することができる、と理解できる。
【００２３】
図４に示すように、一実施形態においては、一種のデータ生成方法を提供し、ここでは、当該方法が図２に示した端末又は図３に示したサーバに応用されることを例として説明を行う。具体的には、ステップＳ４０２と、ステップＳ４０４と、ステップＳ４０６と、ステップＳ４０８とを含む。
【００２４】
ステップＳ４０２において、処理待ちデータを取得する。処理待ちデータには時間次元の薬剤購入時間と、時間次元以外の少なくとも一つの次元の診察情報と、異なる次元の診察情報の間の相互関連性とが含まれ、次元毎に少なくとも一つの診察情報が含まれる。
【００２５】
本実施形態において、取得した処理待ちデータには、時間次元の薬剤購入時間と、時間次元以外の少なくとも一つの次元の診察情報が含まれ、更に異なる次元の診察情報の間の相互関連性が含まれる。次元毎に少なくとも一つの診察情報が含まれる。薬剤購入時間が時間次元の診察情報であると理解しても良い。診察情報とは、診察過程で発生した一系列の診察に関する情報である。例えば、診察する患者、病院、医師、時間、疾病、購入した薬剤、薬剤購入金額等の診察情報である。
【００２６】
更には、時間以外の少なくとも一つの次元は、金額次元、使用者次元、薬剤次元、病院次元、医療計画次元、医師次元、疾病次元等を含む。更には、金額次元の診察情報は薬剤購入金額を含み、使用者次元の診察情報は使用者情報を含み、薬剤次元の診察情報は薬剤情報を含み、病院次元の診察情報は病院情報を含み、医療計画次元の診察情報は医療計画情報を含み、医師次元の診察情報は診察医師情報を含み、疾病次元の診察情報は疾病情報を含む。
【００２７】
そのうち、異なる次元の診察情報の間の相互関連性とは、診察過程において異なる次元の診察情報の間にある互いに関連する関係を指す。例えば、使用者Ｓが時間Ｔで金額がＭである薬剤Ｐを買うと、使用者次元の使用者Ｓと時間次元の時間Ｔ、金額次元の金額Ｍ及び薬剤次元の薬剤Ｐの各々には、相互関連性があり、薬剤次元の薬剤Ｐと時間次元の時間Ｔ及び金額次元の金額Ｍとは相互関連性があることなどである。
【００２８】
相互関連性の定義は、実際のニーズに応じて設定することができ、ここで、いかなる次元の診察情報の間に相互関連性があるかについて、具体的には限定しないと理解できる。
【００２９】
ステップＳ４０４において、プリセット円心点とプリセット半径値を取得して、円心点と半径値から一つの円を生成して、少なくとも一つの次元から第１次元を選び、当該円において、第１次元の各診察情報に関しては、それぞれ方向が異なる一半径を対応して形成し、各診察情報はそのうちの一つの半径方向に対応する。
【００３０】
本実施形態において、予め円心点及び半径値を設置した。プリセット円心点と半径値から一つの円を生成して、即ち一つの円形の基本輪郭を生成する。
【００３１】
少なくとも一つの次元から第１次元を選ぶ。第１次元は薬剤次元であっても良いし、使用者次元でも良いし、その他の次元でもよい、実際の構図において第１次元の設置を行うことができ、本発明の実施形態はこれに限定されない。
【００３２】
時間次元以外に一つの次元しかない場合、選ばれた第１次元が当該唯一の次元である。時間次元以外に複数の次元がある場合、選んだ第１次元がその中の一つの次元である、と理解できる。
【００３３】
更には、円において、第１次元の各診察情報に関して、それぞれ方向が異なる一半径を対応して形成し、各診察情報はそのうちの一つの半径方向に対応する。具体的には、任意の角度で方向が異なる半径をランダムに形成してもよいし、診察情報の類型に基づいて当該診察情報に対応する半径角度幅を決定して、更に、当該半径角度幅内に当該診察情報に対応する半径を形成してもよい。また、予め決められた規則によって各診察情報をソートし、プリセット半径角度間隔閾値によって、各診察情報について方向が異なる半径を順次形成してもよい。本発明の実施形態では、どのように第１次元の各診察情報に関してそれぞれ方向が異なる一半径を対応して形成するかについて、限定することなく、各診察情報が一つの半径方向に対応すればよい。
【００３４】
ステップＳ４０６において、異なる次元の診察情報の間の相互関連性によって、第１次元の診察情報に関連する時間次元の薬剤購入時間を取得して、関連する時間次元の薬剤購入時間の第１次元の診察情報に対応する半径上での対応位置を決定する。
【００３５】
ステップＳ４０８において、対応位置で関連する時間次元の薬剤購入時間に対応するノードを生成して、更にタイムライン異常モニタリンググラフを生成する。
【００３６】
本実施形態において、処理待ちデータ中の異なる次元の診察情報の間の相互関連性によって、第１次元の診察情報に関連する時間次元の薬剤購入時間を取得する。ここで、ニーズに応じて時間次元の薬剤購入時間の最小単位を決定することができ、日、時、分、秒乃至秒以下の時間計量単位にすることができる、と理解できる。
【００３７】
更に、第１次元の診察情報に対応する半径において、関連する時間次元の薬剤購入時間に対応する位置を決定する。
【００３８】
具体的には、予め時間次元の最も早い薬剤購入時間が半径の起始点に対応し、最も遅い薬剤購入時間が半径の終了点に対応するとして、関連する時間次元の薬剤購入時間が最も早い薬剤購入時間と最も遅い薬剤購入時間との間の時間位置を決定することにより、関連する時間次元の薬剤購入時間における対応半径上での対応位置を決定する。
【００３９】
即ち、予め時間次元の最も早い薬剤購入時間が半径における一部分の起始点に対応し、最も遅い薬剤購入時間が当該部分の終了点に対応するとして、関連する時間次元の薬剤購入時間が最も早い薬剤購入時間と最も遅い薬剤購入時間との間の時間位置を決定することで、関連する時間次元の薬剤購入時間が対応半径上での対応位置を決定する。本発明の実施形態は、これに限定されることなく、第１次元の診察情報に対応する半径において関連する時間次元の薬剤購入時間に対応する位置を決定することができればよい。
【００４０】
更に、関連する時間次元の薬剤購入時間の、第１次元の診察情報に対応する半径上での対応位置において、関連する時間次元の薬剤購入時間に対応するノードを生成する。これによって、タイムライン異常モニタリンググラフを生成する。
【００４１】
例えば、第１次元が薬剤次元であり、薬剤次元が薬剤Ｐ１、Ｐ２を含み、薬剤Ｐ１に関連する薬剤購入時間がＴ１とＴ２であり、薬剤Ｐ２に関連する薬剤購入時間がＴ１とＴ３である場合、対応するタイムライン異常モニタリンググラフは、図５に示すとおりである。図５における異なる方向の半径Ｒｄ１、Ｒｄ２がそれぞれ異なる薬剤Ｐ１、Ｐ２に対応し、ノードＮ１が時間Ｔ１と関連する薬剤Ｐ１に対応する半径Ｒｄ１上での対応ノードであり、ノードＮ２が時間Ｔ２と関連する薬剤Ｐ１に対応する半径Ｒｄ１上での対応ノードであり、ノードＮ３が時間Ｔ１と関連する薬剤Ｐ２に対応する半径Ｒｄ２上での対応ノードであり、ノードＮ４が時間Ｔ３と関連する薬剤Ｐ２に対応する半径Ｒｄ２上での対応ノードである。実際のタイムライン異常モニタリンググラフには図５に示した符号が含まれなくてもよい。
【００４２】
本実施形態において、プリセット円心点とプリセット半径値から一つの円を生成し、少なくとも一つの次元から第１次元を選び、円において第１次元の各診察情報に関連するそれぞれ方向が異なる一半径を対応して形成し、第１次元の診察情報に関連する時間次元の薬剤購入時間を取得し、関連する時間次元の薬剤購入時間の、第１次元の診察情報に対応する半径上での対応位置を決定して、対応位置で関連する時間次元の薬剤購入時間に対応するノードを生成することで、タイムライン異常モニタリンググラフを生成する。つまり、第１次元の診察情報が対応する半径上において当該第１次元の診察情報に関連する時間次元の薬剤購入時間を体現することを実現し、時間次元と第１次元との統合が実現する。これによって、薬剤購入の法則がより正確に体現され、グラフによって体現できる情報量が増加する。
【００４３】
なお、円形を基本輪郭として、異なる半径方向における第１次元のそれぞれ異なる診察情報を対応して体現し、円形の場合、角度分割の形態が非常に多いので、理論上、角度を無限に分割することができる。よって、より多くの第１次元の診察情報を同時に調査することができ、グラフによって体現される情報量を更に増加することができる。
【００４４】
更には、当該多次元、多情報量を体現するタイムライン異常モニタリンググラフによれば、更に暗黙の薬剤購入の法則をより多く体現することができるので、問題がないか疑わしい診察情報の発見速度が向上する。
【００４５】
図６に示すように、一実施形態において、少なくとも一つの次元の中は第２次元を更に含み、当該方法は、ノードタグ情報追加ステップを更に含み、具体的には、ステップＳ６０２と、ステップＳ６０４とを含む。
【００４６】
ステップＳ６０２においては、異なる次元の診察情報の間の相互関連性によって、第１次元の診察情報に関連する、時間次元の薬剤購入時間における第１次元の診察情報に関連する第２次元の診察情報を取得する。
【００４７】
本実施形態において、少なくとも一つの次元の中には、第２次元を更に含む。ここで、「第１」と「第２」が異なる次元を区分するためのものであり、即ち第２次元が第１次元とは異なる次元であり、その他の方面の限定には用いられないことを理解されたい。一実施形態においては、第１次元は薬剤次元を含み、第２次元は使用者次元を含み、或いは、第１次元は使用者次元を含み、第２次元は薬剤次元を含む。
【００４８】
更に、処理待ちデータに含まれる異なる次元の診察情報の間の相互関連性によって、第１次元の診察情報に関連する、時間次元の薬剤購入時間における第１次元の診察情報に関連する第２次元の診察情報を取得する。
【００４９】
ステップＳ６０４においては、予め決められた第２次元の診察情報とタグ情報との間の対応関係によって、関連する時間次元の薬剤購入時間の第１次元の診察情報に対応する半径上でのノードが対応するタグ情報を決定して、タグ情報を対応のノードに追加する。
【００５０】
本実施形態において、予め第２次元の診察情報とタグ情報との間の対応関係を設置しておき、当該対応関係に基づいて、第１次元の診察情報に関連する、時間次元の薬剤購入時間の第１次元の診察情報に対応する半径上でのノードに対応するタグ情報を決定する。
【００５１】
ステップＳ６０２において、第１次元の診察情報に関連する、時間次元の薬剤購入時間における、第１次元の診察情報に関連する第２次元の診察情報を取得し、第１次元の診察情報に対応する半径上には、第１次元の診察情報に関連する時間次元の薬剤購入時間の対応ノードがある場合、予め決められた第２次元の診察情報とタグ情報との間の対応関係に基づいて、関連する時間次元の薬剤購入時間の第１次元の診察情報に対応する半径上でのノードに対応するタグ情報を決定する。タグ情報は、色情報、形状情報等であっても良い。
【００５２】
更には、決定したタグ情報を対応のノードに追加する。
【００５３】
例えば、第１次元が薬剤次元であり、第２次元が使用者次元であり、薬剤次元には薬剤Ｐ１、Ｐ２が含まれ、薬剤Ｐ１に関連する薬剤購入時間は、それぞれ２０１６年１月１日、２０１６年１月３日と２０１６年１月４日であり、薬剤Ｐ２に関連する薬剤購入時間は、それぞれ２０１６年１月１日と２０１６年１月４日であるとする。そのうち、２０１６年１月１日の薬剤Ｐ１を購入した人は使用者Ｓ１(即ち、薬剤購入時間２０１６年１月１日において薬剤次元の薬剤Ｐ１に関連する使用者次元の使用者Ｓ１)であり、薬剤Ｐ２を購入した人も使用者Ｓ１であり、２０１６年１月３日の薬剤Ｐ１を購入した人は使用者Ｓ２であり、２０１６年１月４日に薬剤Ｐ１を購入した人は使用者Ｓ１であり、２０１６年１月４日の薬剤Ｐ２を購入した人は使用者Ｓ３である。そのうち、使用者Ｓ１に対応するタグ情報が色１であり、使用者Ｓ２に対応するタグ情報が色２であり、使用者Ｓ３に対応するタグ情報が色３である場合、図７に示すタイムライン異常モニタリンググラフに対応する。図７における異なる方向の半径Ｒｄ１、Ｒｄ２がそれぞれ薬剤Ｐ１、Ｐ２に対応し、ノードＮ１が薬剤購入時間２０１６年１月１日に関連する薬剤Ｐ１に対応する半径Ｒｄ１上でのノードであり、Ｎ２が薬剤購入時間２０１６年１月３日に関連する薬剤Ｐ１に対応する半径Ｒｄ１上でのノードであり、Ｎ３が薬剤購入時間２０１６年１月４日に関連する薬剤Ｐ１に対応する半径Ｒｄ１上でのノードであり、Ｎ４が薬剤購入時間２０１６年１月１日に関連する薬剤Ｐ２に対応する半径Ｒｄ２上でのノードであり、Ｎ５が薬剤購入時間２０１６年１月４日に関連する薬剤Ｐ２に対応する半径Ｒｄ２上でのノードである。さらに、使用者Ｓ１に対応するタグ情報が色１であり、使用者Ｓ２に対応するタグ情報が色２であり、使用者Ｓ３に対応するタグ情報が色３であることから、薬剤購入時間２０１６年１月１日、２０１６年１月３日、２０１６年１月４日の薬剤Ｐ１に対応する半径上でのノードＮ１、Ｎ２、Ｎ３をそれぞれ色１、色２、色１で表示して、薬剤購入時間２０１６年１月１日と２０１６年１月４日の薬剤Ｐ２に対応する半径上でのノードＮ４とＮ５をそれぞれ色１、色３で表示する。
【００５４】
本実施形態において、第１次元の診察情報に関連する、時間次元の薬剤購入時間において、第１次元の診察情報に関連する第２次元情報に対応するタグ情報に基づいて、当該対応するタグ情報を当該薬剤購入時間の当該第１次元の診察情報に対応する半径上でのノードに追加する。即ち、時間次元、第１次元、第２次元の三つの次元の診察情報の統合の実現に相当し、グラフによって体現される情報量が更に増加する。
【００５５】
又、当該多次元、多情報量を体現するタイムライン異常モニタリンググラフによれば、更に肝心な暗黙の情報をより多く体現することができるので、問題がないか疑わしい診察情報の発見速度が向上する。
【００５６】
一実施形態において、少なくとも一つの次元の診察情報は金額次元の薬剤購入金額を含み、当該方法は、ノードサイズ調整ステップを更に含み、具体的には、以下のステップを含む。異なる次元の診察情報の間の相互関連性によって、第１次元の診察情報に関連する、時間次元の薬剤購入時間における第１次元の診察情報に関連する金額次元の薬剤購入金額を取得して、薬剤購入金額によって、関連する時間次元の薬剤購入時間の第１次元の診察情報に対応する半径上での対応ノードのサイズを調整する。
【００５７】
本実施形態において、少なくとも一つの次元は金額次元を更に含み、少なくとも一つの次元の診察情報は金額次元の薬剤購入金額である。
【００５８】
更には、異なる次元の診察情報の間の相互関連性によって、第１次元の診察情報に関連する、時間次元の薬剤購入時間における第１次元の診察情報に関連する金額次元の薬剤購入金額を取得する。関連する薬剤購入金額によって、関連する時間次元の薬剤購入時間の第１次元の診察情報に対応する半径上での対応ノードのサイズを調整する。
【００５９】
ここで、取得したのが、第１次元の診察情報に関連する、時間次元の薬剤購入時間における、第１次元の診察情報に関連する薬剤購入金額である、と理解してもよい。例えば、第１次元が薬剤次元である場合、第１次元の診察情報が薬剤次元の薬剤Ｐ１と薬剤Ｐ２であり、薬剤Ｐ１に対応する時間次元の薬剤購入時間がＴであり、薬剤Ｐ２に対応する時間次元の薬剤購入時間もＴであり、時間Ｔにおける薬剤Ｐ１の購入金額がＭ１であり、薬剤Ｐ２の購入金額がＭ２である場合、Ｍ１にもとづいて薬剤購入時間Ｔの薬剤Ｐ１に対応する半径上でのノードＮ１のサイズを調整して、Ｍ２に基づいて薬剤購入時間Ｔの薬剤Ｐ２に対応する半径上でのノードＮ２のサイズを調整する。
【００６０】
具体的には、予め決められたノードのサイズ値と薬剤購入金額の金額区間値との間の対応関係に基づいて、関連する薬剤購入金額に対応する金額区間値を決定した後に、当該金額区間値に対応するノードのサイズ値を決定してノードサイズの調整を行っても良い。予め薬剤購入金額とノードのサイズ値の比率関係を設定して、当該比率関係に基づいてノードのサイズを調整してもよい。更に、当該比率関係が予め決められた定数比であっても良いし、動的な変更可能な比率公式であってもよい。
【００６１】
更には、第１次元の各診察情報に関して、それぞれ、異なる薬剤購入金額区間値とノードのサイズ値との対応関係又は異なる予め決められた薬剤購入金額とノードのサイズ値の比率関係を設定してもよい。例えば、第１次元が薬剤次元である場合、各薬剤情報に夫々異なる薬剤購入金額区間値とノードのサイズ値との対応関係を設定してもよい。本発明実施形態は、これに限定することなく、関連する薬剤購入金額によって関連する時間次元の薬剤購入時間に対応するノードのサイズを調整できれば良い。
【００６２】
本実施形態において、第１次元の診察情報に関連する、時間次元の薬剤購入時間において、第１次元の診察情報に関連する金額次元の薬剤購入金額に基づいて、当該薬剤購入時間の当該第１次元の診察情報に対応する半径上でのノードのサイズを調整する。即ち、時間次元と、第１次元と金額次元の三つの次元の診察情報の統合を実現し、グラフによって体現される情報量が更に増加する。
【００６３】
また、当該多次元、多情報量を体現するタイムライン異常モニタリンググラフによれば、更に肝心な暗黙の情報をより多く体現することができるので、問題がないか疑わしい診察情報の発見速度が向上する。
【００６４】
その他の実施形態においては、ノードタグ情報追加ステップとノードサイズ調整ステップを組み合わせてもよい、即ち、ノードタグ情報追加ステップの実行が終了した後に、続けてノードサイズ調整ステップを実行してもよい。ノードサイズ調整ステップの実行が終了した後に、続いてノードタグ情報追加ステップを実行してもよい。本実施形態では、ノードタグ情報追加ステップとノードサイズ調整ステップを組み合わせることで、時間次元、第１次元、第２次元及び金額次元の四つの次元の診察情報の統合を実現して、グラフによって体現される情報量が更に増加する。また、更に肝心な暗黙の情報をより多く体現することができるので、問題がないか疑わしい診察情報の発見速度が向上する。
【００６５】
図８に示すように、一実施形態において、関連する時間次元の診察情報の第１次元の診察情報に対応する半径上での対応位置を決定するステップ(対応位置決定ステップと略称する)は、ステップＳ８０２と、ステップＳ８０４と、ステップＳ８０６とを含む。
【００６６】
ステップＳ８０２においては、時間次元のうち、最も早い薬剤購入時間と最も遅い薬剤購入時間との時間総差分を計算する。
【００６７】
ステップＳ８０４においては、関連する時間次元の薬剤購入時間と最も早い薬剤購入時間との第１時間副差分を計算する、又は最も遅い薬剤購入時間と関連する時間次元の薬剤購入時間との第２時間副差分を計算する。
【００６８】
本実施形態において、時間次元には、少なくとも一つの薬剤購入時間が含まれ、時間次元のうち最も早い薬剤購入時間と最も遅い薬剤購入時間との時間総差分を計算する。
【００６９】
更に、第１次元の診察情報に関連する、時間次元の薬剤購入時間と最も早い薬剤購入時間との第１時間副差分を計算する。又は、最も遅い薬剤購入時間と第１次元の診察情報が関連する時間次元の薬剤購入時間との第２時間副差分を計算する。
【００７０】
ステップＳ８０６においては、第１時間副差分と時間総差分との第１比率又は第２時間副差分と時間総差分との第２比率を計算して、プリセット半径値と第１比率又は第２比率に基づいて、第１次元の診察情報に対応する半径上で関連する時間次元の薬剤購入時間の対応位置を決定する。
【００７１】
更には、第１時間副差分と時間総差分との第１比率を計算する、又は第２時間副差分と時間総差分との第２比率を計算する。第１比率又は第２比率とプリセット半径値に基づいて、第１次元の診察情報に対応する半径上において関連する時間次元の薬剤購入時間の対応位置を決定する。
【００７２】
具体的には、第１比率又は第２比率とプリセット半径値の乗積から一距離値を得る。又は、第１比率又は第２比率とプリセット半径値及び距離調節要素との乗積から一距離値を得る。そのうち、距離調節要素は予め決められた定数であってもよいし、関連する時間次元の各薬剤購入時間の相違によって対応して変化する数値であってもよい。本発明実施形態では、これを限定しない。
【００７３】
更に、取得した最も早い薬剤購入時間が半径上のプリセット位置に対応して、当該プリセット位置がプリセット起始点である場合、関連する時間次元の薬剤購入時間の第１次元の診察情報に対応する半径上での位置が、当該プリセット起始点から当該距離値だけ離れた位置である。そのうち、プリセット起始点は円心点であってもよいし、その他の規則によって決定した半径上での起始点であってもよい。
【００７４】
例えば、最も早い薬剤購入時間が２０１６年１月１日、最も遅い薬剤購入時間が２０１６年１月３１日、プリセット半径値がＲ、プリセット起始点が円心点、関連する時間次元の診察情報の中の薬剤購入時間が２０１６年１月１２日である場合、関連する時間次元の診察情報の半径上での対応位置が円心点から１２／３１×Ｒだけ離れた箇所に位置する。
【００７５】
一実施形態では、円において第１次元の各診察情報に関してそれぞれ方向が異なる一半径を対応して形成することは、第１次元の各診察情報に対応するプリセット類型を取得して、プリセット類型と半径角度幅との対応関係に基づいて、第１次元の各診察情報に対応する半径角度幅を取得して、円における取得した半径角度幅内には、半径角度幅に対応する第１次元の各診察情報に関してそれぞれ方向が異なる一半径を対応して形成するステップを含む。
【００７６】
本実施形態において、第１次元の各診察情報に対応するプリセット類型を取得して、例えば、第１次元が薬剤次元である場合、薬剤次元の各薬剤情報に対応する類型を予め設定し、薬剤類型は男性用薬類型、女性用薬類型及び通用薬類型を含む。更に、第１次元が薬剤次元である場合、薬剤の使用対象、薬剤の用量の規制及び薬の使用権限の制限等に基づいて薬剤情報の類型を予め設定する。ここで説明が必要なのは、実際のニーズに応じて第１次元の診察情報の類型をプリセットすることができるということである。
【００７７】
更には、各プリセット類型と半径角度幅との間の対応関係を予め設定して、当該対応関係によって、第１次元の各診察情報が対応する半径角度幅を取得する。更には、円における対応する半径角度幅内には、当該半径角度幅に対応する第１次元の診察情報に関して、それぞれ方向が異なる一半径を対応して形成する。
【００７８】
例えば、第１次元が薬剤次元であり、薬剤次元が薬剤Ｐ１と薬剤Ｐ２を含み、薬剤Ｐ１に対応するプリセット類型が男性用薬であり、薬剤Ｐ２に対応するプリセット類型が女性用薬であり、プリセットした男性用薬に対応する半径角度幅が０−１２０度であり、女性用薬に対応する半径角度幅が１２１−２４０度であり、通用薬に対応する半径角度幅が２４１−３６０度である。そうすると、０−１２０度の半径角度幅内において薬剤Ｐ１に関して一つの対応する半径を形成して、１２１−２４０度の半径角度幅内において薬剤Ｐ２に関して一つの対応する半径を形成する。この時に、もし女性用薬の半径角度幅内でいくつかの薬剤が大量に購入されたことが調べられ、更に、当該購入者が男性使用者であると調べられた場合、当該男性使用者が問題使用者の疑いがあることを直ちに決定することができる。
【００７９】
本実施形態において、第１次元の診察情報に対応する類型に基づいて、第１次元の各診察情報に関して対応する半径角度幅を区画して、当該半径角度幅内において診察情報に関して対応する半径を形成する。即ち、タイムライン異常モニタリンググラフでは、診察情報類型次元を更に体現して、問題がないか疑わしい診察情報を更に速く発見することができる。
【００８０】
図９に示すように、一実施形態において、当該方法は、ノード関連情報調査ステップを更に含み、具体的には、下記のステップＳ９０２と、ステップＳ９０４と、ステップＳ９０６を含む。
【００８１】
ステップＳ９０２において、ノード関連情報調査命令を受信する。ノード関連情報調査命令には、調査しようとするノード識別子が含まれる。
【００８２】
ステップＳ９０４において、ノード識別子に対応する薬剤購入時間、及びノード識別子の対応ノードが所在する半径に対応する第１次元の診察情報を取得して、当該薬剤購入時間における、第１次元の診察情報に関連する少なくとも一つの次元の診察情報を取得する。
【００８３】
具体的には、ノード関連情報調査命令を受信する。当該ノード関連情報調査命令には調査しようとするノード識別子が含まれる。前文の記載によれば、ノードが時間次元の薬剤購入時間に関連する、第１次元の診察情報に対応する半径上での時間次元の薬剤購入時間の対応位置のノードマークであり、これによって、ノードと薬剤購入時間との間に対応関係があり、半径と第１次元の診察情報との間に対応関係があることになるので、上記対応関係に基づいて、ノード識別子に対応する薬剤購入時間を取得する。さらに、ノード識別子の対応ノードが所在する半径に対応する第１次元の診察情報を取得する。
【００８４】
更に、異なる次元の診察情報の間の相互関連性によって、当該薬剤購入時間における、第１次元の診察情報に関連する少なくとも一つの次元の診察情報を取得する。例えば、第１次元が薬剤次元である場合、当該薬剤購入時間における、薬剤次元の薬剤情報と関連する使用者次元の使用者情報、金額次元の購入金額、病院次元の病院情報、医師次元の医師情報、医療計画次元の医療計画情報、疾病次元及び時間次元の時間情報等を取得する。
【００８５】
ステップＳ９０６において、当該ノード識別子に対応するフローティングウィンドウを生成して、対応する第１次元の診察情報と当該第１次元の診察情報に関連する少なくとも一つの次元の診察情報を当該フローティングウィンドウに追加する。
【００８６】
更には、当該ノード識別子に対応するフローティングウィンドウを生成して、ノード識別子が所在する半径に対応する第１次元の診察情報と、当該第１次元の診察情報に関連する少なくとも一つの次元の診察情報を当該フローティングウィンドウに追加する。
【００８７】
本実施形態において、ノード関連情報調査命令を取得する時に、当該ノードに関連する複数の次元の診察情報をフローティングウィンドウに表示することで、ノードの基本関連情報の調査が行いやすくなり、グラフによって体現される情報量が更に増加する。
【００８８】
図１０に示すように、取得モジュール１００２と、半径形成モジュール１００４と、位置決定モジュール１００６と、生成モジュール１００８とを含むデータ生成装置を提供し、取得モジュール１００２は、処理待ちデータを取得するためのものであり、処理待ちデータには、時間次元の薬剤購入時間、時間次元以外の少なくとも一つの次元の診察情報、及び異なる次元の診察情報の間の相互関連性が含まれ、次元毎に少なくとも一つの診察情報が含まれる。
【００８９】
半径形成モジュール１００４は、プリセット円心点とプリセット半径値を取得して、円心点と半径値から一つの円を生成し、少なくとも一つの次元から第１次元を選び、円において第１次元の各診察情報に関してそれぞれ方向が異なる一半径を対応して形成し、各診察情報がそのうちの一半径方向に対応する。
【００９０】
位置決定モジュール１００６は、異なる次元の診察情報の間の相互関連性によって、第１次元の診察情報に関連する、時間次元の薬剤購入時間を取得して、関連する時間次元の薬剤購入時間の第１次元の診察情報に対応する半径上での対応位置を決定するためのものである。
【００９１】
生成モジュール１００８は、対応位置における関連する時間次元の薬剤購入時間に対応するノードを生成して、タイムライン異常モニタリンググラフを生成するためのものである。
【００９２】
図１１に示すように、一実施形態において、少なくとも一つの次元には第２次元を更に含む。取得モジュール１００２は、異なる次元の診察情報の間の相互関連性によって、第１次元の診察情報に関連する時間次元の薬剤購入時間における、第１次元の診察情報に関連する第２次元の診察情報を取得することにも用いられる。
【００９３】
本実施形態において、当該装置は、予め決められた第２次元の診察情報とタグ情報との間の対応関係に基づいて、関連する時間次元の、薬剤購入時間の第１次元の診察情報に対応する半径上でのノードに対応するタグ情報を取得して、タグ情報を対応のノードに追加するためのタグ追加モジュール１０１０を更に含む。
【００９４】
図１２に示すように、一実施形態において、少なくとも一つの次元の診察情報は、金額次元の薬剤購入金額を含む。当該装置は、異なる次元の診察情報の間の相互関連性によって、第１次元の診察情報に関連する時間次元の薬剤購入時間における、第１次元の診察情報に関連する金額次元の薬剤購入金額を取得し、薬剤購入金額に基づいて、関連する時間次元の薬剤購入時間の第１次元の診察情報に対応する半径での対応ノードのサイズを調整するためのサイズ調整モジュール１０１２を更に含む。
【００９５】
一実施形態において、位置決定モジュール１００６は、時間次元のうち最も早い薬剤購入時間と最も遅い薬剤購入時間との時間総差分を計算し、関連する時間次元の薬剤購入時間と最も早い薬剤購入時間との第１時間副差分を計算し、又は最も遅い薬剤購入時間と関連する時間次元の薬剤購入時間との第２時間副差分を計算し、第１時間副差分と時間総差分との第１比率又は第２時間副差分と時間総差分との第２比率を計算して、プリセット半径値と第１比率又は第２比率に基づいて、第１次元の診察情報に対応する半径上において、関連する時間次元の薬剤購入時間の対応位置を決定することにも用いられる。
【００９６】
一実施形態において、半径形成モジュール１００４は、第１次元の各診察情報が対応するプリセット類型を取得して、プリセット類型と半径角度幅との対応関係に基づいて、第１次元の各診察情報に対応する半径角度幅を取得し、円の中の取得した半径角度幅内において、半径角度幅に対応する第１次元の各診察情報に関して、それぞれ方向が異なる一半径を対応して形成する。
【００９７】
一実施形態において、第１次元は薬剤次元を含み、第２次元は使用者次元を含み、又は第１次元は使用者次元を含み、第２次元は薬剤次元を含む。
【００９８】
上記データ生成装置における各モジュールは、全部又は一部でソフトウェア、ハードウェア及びその組み合わせによって実現可能である。上記各モジュールは、ハードウェアとして基地局のプロセッサに組み込まれ、又は基地局のプロセッサから独立してもよいし、プロセッサが以上の各モジュールに対応する操作を呼び出して実行しやすいように、ソフトウェアとして基地局のメモリに記憶されてもよい。当該プロセッサは中央演算処理装置（ＣＰＵ）、マイクロプロセッサ、マイクロコントローラユニット等であってもよい。
【００９９】
当業者は、上記実施形態方法の全部又は一部の工程の実現が、コンピュータプログラムによって関連するハードウェアに命令することで完成できると理解してもよい。上記プログラムがコンピュータ読取可能な記憶媒体に記憶され、当該プログラムの実行時に、上記各方法の実施形態のフローが含まれても良い。そのうち、上記記憶媒体は、磁気ディスク、光ディスク、読み出し専用メモリ（Ｒｅａｄ−Ｏｎｌｙ  Ｍｅｍｏｒｙ，ＲＯＭ）などの不揮発性記憶媒体であっても良いし、或いはランダムアクセスメモリ（Ｒａｎｄｏｍ  Ａｃｃｅｓｓ  Ｍｅｍｏｒｙ，ＲＡＭ）などであってもよい。
【０１００】
上述した実施形態の各技術特徴は任意に組み合わせてもよく、説明を簡潔にするため、上記の実施形態における各技術特徴のすべての可能な組み合わせに対して説明していないが、これらの技術特徴の組み合わせに矛盾がない限り、本明細書に記載の範囲に属すると見なされるべきである。
【０１０１】
上述した実施形態はただ本発明のいくつかの実施形態を説明し、その説明は具体的かつ詳細であるが、発明特許範囲に対する限定として理解すべきではない。当業者にとって、本発明の構想から逸脱しない前提でいくつかの変形や改善が可能であり、これらは本発明の保護範囲に属する。従って、本発明特許の保護範囲は、添付の特許請求の範囲に準ずるべきである。
【図１】
0006457664.tif 000002
【図２】
0006457664.tif 000003
【図３】
0006457664.tif 000004
【図４】
0006457664.tif 000005
【図５】
0006457664.tif 000006
【図６】
0006457664.tif 000007
【図７】
0006457664.tif 000008
【図８】
0006457664.tif 000009
【図９】
0006457664.tif 000010
【図１０】
0006457664.tif 000011
【図１１】
0006457664.tif 000012
【図１２】
0006457664.tif 000013